(57)【要約】      （修正有）【課題】構造簡単で、容易かつ安価に製作できるディスクケースを提供する。【解決手段】少なくとも１枚のディスクを配置できる大きさの平面を有する基板紙１４と、ディスクと略同じ肉厚を有し、かつディスクを嵌合できる大きさの円板状透孔１６及び当該円板状透孔１６の周縁の一部に連なって外側に向けて拡張された形状となるように設けられた切欠き部１８を有し、基板紙１４に重ね合わされて固着された中間紙と、円板状透孔１６の一部及び当該一部の周縁に連なる切欠き部１８に合致する形状の出入れ用透孔を有し、出入れ用透孔が円板状透孔１６及び切欠き部１８に合致するように中間紙に重ね合わされて固着された押え板紙２４とを備えた。【選択図】図１
0003147528.tif 000002
【実用新案登録請求の範囲】
【請求項１】
少なくとも１枚のディスクを配置できる大きさの平面を有する基板紙と、
前記ディスクと略同じ肉厚を有し、かつ前記ディスクを嵌合できる大きさの円板状透孔及び当該円板状透孔の周縁の一部に設けられた切欠き部を有し、前記基板紙に重ね合わされて固着された中間紙と、
前記円板状透孔の一部及び当該一部の周縁に連なる前記切欠き部を合わせた形状に合致する形状の出入れ用透孔を有し、前記出入れ用透孔が前記円板状透孔及び前記切欠き部に合致するように前記中間紙に重ね合わされて固着された押え板紙とを備えたことを特徴とするディスクケース。
【請求項２】
請求項１に記載のディスクケースにおいて、
前記基板紙に、折り目線部により仕切られた区画を設け、前記区画毎に前記中間紙及び前記押え板紙が配設されて複数枚のディスクを並列に収容できるようにしたことを特徴とするディスクケース。
【請求項３】
請求項１または２に記載のディスクケースにおいて、
前記押え板紙の外面に、前記中間紙の前記円板状透孔の円周に沿う円弧状の凹部を設けたことを特徴とするディスクケース。
【請求項４】
請求項２または３に記載のディスクケースにおいて、
前記基板紙の折り目線部を、並列配置された１対の折り目線により構成すると共に複数箇所に設け、各折り目線部における１対の折り目線の間隔を、それぞれ前記折り目線部を境界とする両側の各区画の積層体の肉厚値を加算した数値と同等の長さとしたことを特徴とするディスクケース。
【考案の詳細な説明】
【技術分野】
【０００１】
本考案は、ＤＶＤ（デジタルビデオディスク）、ＣＤ（コンパクトディスク）、ＣＤ−ＲＯＭ等のような円盤状のディスク（以下、単にディスクという。）を収容する紙製のディスクケースに関する。ディスクケースに関する。
【背景技術】
【０００２】
この種のディスクケースは、ディスクが大きさや形状が規格統一されていることを利用してディスクを収容しうるように形成されている。そして環境への配慮や安価な製造コスト、軽量化、また印刷や加工の容易性といった点から、主に紙製のディスクケースも提案されている（特許文献１、特許文献２参照）。
【特許文献１】特開２００７−５０８９６号公報
【特許文献２】特開２００７−１１２４９３号公報
【考案の開示】
【考案が解決しようとする課題】
【０００３】
しかし、従来の紙製ディスクケースは、構造が煩雑であり、紙を主な材質とする利点（ 環境への配慮や安価な製造コスト、軽量化、また印刷や加工の容易性等）が活かし切れていないという課題がある。
【０００４】
本考案は、上記の課題を解決するためになされたもので、紙材質の利点を活かしつつ、更に使い勝手やディスプレイ性を向上させ、ケースを手に取った人に心理的インパクトを与える、簡易構造のディスクケースを提供することを目的とする。
【課題を解決するための手段】
【０００５】
以下の構成はそれぞれ上記の課題を解決するための手段である。
〈構成１〉
少なくとも１枚のディスクを配置できる大きさの平面を有する基板紙と、上記ディスクと略同じ肉厚を有し、かつ上記ディスクを嵌合できる大きさの円板状透孔及び当該円板状透孔の周縁の一部に設けられた切欠き部を有し、上記基板紙に重ね合わされて固着された中間紙と、上記円板状透孔の一部及び当該一部の周縁に連なる上記切欠き部を合わせた形状に合致する形状の出入れ用透孔を有し、上記出入れ用透孔が上記円板状透孔及び上記切欠き部に合致するように上記中間紙に重ね合わされて固着された押え板紙とを備えたことを特徴とするディスクケース。
【０００６】
構造簡単で容易かつ安価に製作でき、しかも使い勝手がよく、ディスプレイ性を向上させ、ケースを手に取った人に心理的インパクトを与えるという効果を奏する。
【０００７】
〈構成２〉
構成１に記載のディスクケースにおいて、上記基板紙に、折り目線部により仕切られた区画を設け、上記区画毎に上記中間紙及び上記押え板紙が配設されて複数枚のディスクを並列に収容できるようにしたことを特徴とするディスクケース。
【０００８】
基板紙を折り目線部にそって折り畳むことにより、ディスク収容面を覆ってディスクを保護することができる。
【０００９】
〈構成３〉
構成１または２に記載のディスクケースにおいて、上記押え板紙の外面に、上記中間紙の上記円板状透孔の円周に沿う円弧状の凹部を設けたことを特徴とするディスクケース。
【００１０】
凹部が模様の役割をする。
【００１１】
〈構成４〉
構成２または３に記載のディスクケースにおいて、上記基板紙の折り目線部を、並列配置された１対の折り目線により構成すると共に複数箇所に設け、各折り目線部における１対の折り目線の間隔を、それぞれ上記折り目線部を境界とする両側の各区画の積層体の肉厚値を加算した数値と同等の長さとしたことを特徴とするディスクケース。
【００１２】
すべての区画を整然と折り畳むことができる。
【考案を実施するための最良の形態】
【００１３】
以下、本考案の実施の形態を実施例毎に詳細に説明する。
【実施例１】
【００１４】
図１は実施例１のディスクケースを示す展開図、図２は図１のＡＡ線に沿う拡大縦断面図、図３は同ディスクケースを構成する基板紙、中間紙、押え板紙をそれぞれ解体して示す図で、（ａ）は基板紙１４の斜視図、（ｂ）は中間紙の斜視図、（ｃ）は押え板紙の斜視図、図４は同ディスクケースを示す図で、（ａ）は第１頁のみのディスク収容面が見えるように展開した状態を示す斜視図、（ｂ）はすべてのディスク収容面が見えないように閉じた状態を示す斜視図、（ｃ）は（ｂ）の底面図、図５は同ディスクケースにディスクを収容した状態を示す斜視図である。
【００１５】
ディスクケース１０は、少なくとも１枚のディスク１２（図５）を配置できる大きさの平面を有する１枚の基板紙１４に、横方向に３枚ずつ並べられた中間紙２０と押え板紙２４とを、図２に示すように順次重ね合わされ固着されて構成されている。
【００１６】
基板紙１４には、図１、図３（ａ）に示すように２つの折り目線部２６Ａ、２６Ｂにより仕切られた３つの区画３２Ａ、３２Ｂ、３２Ｃが設けられている。各区画３２Ａ、３２Ｂ、３２Ｃ毎に、中間紙２０及び押え板紙２４が配設されて６枚のディスク１２を並列に収容できるようにされている。
【００１７】
折り目線部２６Ａは、図３（ａ）に破線で示すように１対の谷折りの折り目線２８Ａ、２８Ｂにより構成され、また、折り目線部２６Ｂは１対の谷折りの折り目線２８Ｃ、２８Ｄにより構成されている。
【００１８】
中間紙２０は、ディスク１２と略同じ肉厚を有している。そして、図３（ｂ）に示すように、図中上下２箇所に、ディスク１２を嵌合できる大きさの円板状透孔１６と当該円板状透孔１６の周縁の一部に設けられた、半円形又はＵ字状の切欠き部１８とを有している。
【００１９】
押え板紙２４は、図３（ｃ）に示すように、図中上下２箇所に、中間紙２０の円板状透孔１６の上半分と切欠き部１８とを合わせた形状に合致する形状となるように設けられた出入れ用透孔２２を有している。押え板紙２４は、出入れ用透孔２２が中間紙２０の円板状透孔１６と切欠き部１８とに合致するように中間紙２０に重ね合わされて固着されている。
【００２０】
押え板紙２４の出入れ用透孔２２の、中間紙２０の中心部に対応する位置に、半円形の切欠き部２５が設けられている。この切欠き部２５は、図５に示されるように収容された状態のディスク１２の中心孔１３を露出させる大きさの半円形に形成されている。また、押え板紙２４の外面に、中間紙２０の円板状透孔１６の円周に沿う円弧状の凹部３４（図１、図２）が設けられている。この凹部３４は、必要に応じて設けられるもので、設けられた場合は模様の役割をする。
【００２１】
図３に示す折り目線部２６Ａの１対の折り目線２８Ａ、２８Ｂの間隔ａと、折り目線部２６Ｂの１対の折り目線２８Ｃ、２８Ｄの間隔ｂは、それぞれ任意の長さでもよいが、次のようにそれぞれ異なる長さとしてもよい。
【００２２】
間隔ａと間隔ｂとを異なる長さとする具体例を、図１に示すように３つの区画３２Ａ、３２Ｂ、３２Ｃを全展開したディスクケース１０を、先ず折り目線部２６Ｂを境界として図中右側から折り畳んで、図４（ａ）に示すように閉じ、さらに、この状態から折り目線部２６Ａを境界として折り畳んで図４（ｂ）に示すように閉じるという場合について説明する。
【００２３】
すなわち、間隔ｂは、折り目線部２６Ｂを境界とする片側の区画３２Ｂに積層された積層体である、１枚の中間紙２０と１枚の押え板紙２４の各肉厚値を加算した数値（Ｘ）と、反対側の区画３２Ｃに積層された積層体である、１枚の中間紙２０と１枚の押え板紙２４の各肉厚値を加算した数値（Ｙ）との和（Ｘ＋Ｙ）の数値の長さとする。
【００２４】
また、間隔ａは、折り目線部２６Ａを境界とする片側の区画３２Ａに積層された積層体である、１枚の中間紙２０と１枚の押え板紙２４の積層体の各肉厚値を加算した数値（Ｚ）と、反対側の区画３２Ｂに当初から積層されている積層体の肉厚値（Ｘ）と、その上に折り返されて積層された区画３２Ｃの積層体の肉厚値（Ｙ）との和（Ｘ＋Ｙ＋Ｚ）に、区画３２Ｃの１枚の基板紙１４の肉厚値を加算した数値の長さとする。
【００２５】
間隔ａと間隔ｂを上記のように設定することにより、ディスクケース１０を図４の（ｂ）及び（ｃ）に示すように閉じたとき、折り目線部２６Ａ、２６Ｂが外方に膨出することなく、すべての区画３２Ａ、３２Ｂ、３２Ｃを整然と折り畳むことができる。そして、ディスク収容面３６を覆ってディスク１２を保護することができる。
【００２６】
上記のように構成されたディスクケース１０は、図５に示すようにディスク１２を押え板紙２４の出入れ用透孔２２から差込んで中間紙２０の円板状透孔１６内に嵌合されて収容される。ディスク１２を取り出すときは、切欠き部２５から露出しているディスク１２の中心孔１３と切欠き部１８とにそれぞれ手指を差し込んでディスク１２を把持しながら持ち上げるようにする。
【００２７】
図示等を省略したが、基板紙１４や押え板紙２４の外面を、当初は無地あるいは白地にしておき、ユーザーの希望や好みに応じて色々な模様や文字等をカラー印刷することにより、カラフルにしたりディスク１２の出し入れをし易くする等のオーダーメイドの印刷が簡単にできる。
【図面の簡単な説明】
【００２８】
【図１】実施例１のディスクケースを示す展開図である。
【図２】図１のＡＡ線に沿う拡大縦断面図である。
【図３】同ディスクケースを構成する基板紙、中間紙、押え板紙をそれぞれ解体して示す図で、（ａ）は基板紙の斜視図、（ｂ）は中間紙の斜視図、（ｃ）は押え板紙の斜視図である。
【図４】同ディスクケースを示す図で、（ａ）は第１頁のみのディスク収容面が見えるように展開した状態を示す斜視図、（ｂ）はすべてのディスク収容面が見えないように閉じた状態を示す斜視図、（ｃ）は（ｂ）の底面図である。
【図５】同ディスクケースにディスクを収容した状態を示す斜視図である。
【符号の説明】
【００２９】
１０  ディスクケース
１２  ディスク
１３  中心孔
１４  基板紙
１６  円板状透孔
１８  切欠き部
２０  中間紙
２２  出入れ用透孔
２４  押え板紙
２５  切欠き部
２６Ａ、２６Ｂ  折り目線部
２８Ａ、２８Ｂ、２８Ｃ、２８Ｄ  折り目線
３０  １対の折り目線の間隔
３２Ａ、３２Ｂ、３２Ｃ  区画
３４  凹部
３６  ディスク収容面
【図１】
0003147528.tif 000003
【図２】
0003147528.tif 000004
【図３】
0003147528.tif 000005
【図４】
0003147528.tif 000006
【図５】
0003147528.tif 000007